(57)【要約】【課題】一般の住宅建築物から外観を大きく変更することなく、構造躯体を構成する柱と梁との接合部又は構造躯体と基礎との接合部を屋内側に露出して観察可能とする。【解決手段】  地盤上に形成された基礎１１上に構造躯体が支持される展示用住宅建築物の外周部の一部において、外壁８１が前記構造躯体を構成する柱５１と間隔を開けて屋外側に形成されたものとする。この外壁８１は、連結部材８６を介して柱５１又は柱５１に支持された梁５８と連結して保持され、上端は二階部分の柱６０によって支持される屋根６２の軒下に納まるように設けられる。そして、柱５１とコンクリートからなる基礎１１との接合部及び柱５１と梁５８，５９との接合部が屋内側に露出し、屋内側からこれらの接合部を観察することが可能となっている。【選択図】図４
2014149467.tif 000002
【特許請求の範囲】
【請求項１】
地盤上に形成された基礎と、
前記基礎上に支持された構造躯体と、を有する展示用住宅建築物であって、
該展示用住宅建築物の外周部の一部において、外壁が前記構造躯体を構成する柱と間隔を開けて屋外側に形成され、
該外壁は、前記柱又はこの柱に支持されている梁と連結することによって保持され、
該外壁部の上端は、前記柱によって支持される屋根の軒下に納まるように保持されており、
前記柱とコンクリートからなる基礎との接合部又は柱と梁との接合部が屋内側に露出していることを特徴とする展示用住宅建築物。
【請求項２】
該展示用住宅建築物の外周部における前記基礎の屋外側に、該基礎と隣接して又は断熱材を介して隣接するように外壁用基礎が形成され、
該外壁用基礎の上に前記外壁が立ち上げられていることを特徴とする請求項１に記載の展示用住宅建築物。
【請求項３】
該展示用住宅建築物の外周部における基礎から屋外側に張り出すように張り出し支持部が設けられ、
該張り出し支持部の上に前記外壁が立ち上げられていることを特徴とする請求項１に記載の展示用住宅建築物。
【請求項４】
前記外壁は、一階部分の柱の下端付近から二階部分の柱の上端付近まで連続するように形成され、
該外壁が形成された部分の屋内側の一階部分と二階部分とが吹き抜けになっていることを特徴とする請求項１から請求項３までのいずれかに記載の展示用住宅建築物。
【請求項５】
前記外壁は、透視状態と透過する光を拡散させる不透視状態とを切り換えることができる調光ガラスと、これを支持する枠体とを有し、一階部分の柱の下端付近から二階部分の柱の上端付近までの範囲で採光が可能となっていることを特徴とする請求項４に記載の展示用住宅建築物。
【請求項６】
前記外壁が前記柱と間隔を開けて屋外側に形成された部分の屋内側に、該展示用住宅建築物の外周部に沿って一階の床が形成されていない領域を有し、
前記外壁に沿った位置に形成された前記基礎と、該基礎と該基礎上に支持される構造躯体との接合部とが、前記一階の床が形成されていない領域で観察可能に露出されていることを特徴とする請求項１から請求項５までのいずれかに記載の展示用住宅建築物。
【発明の詳細な説明】
【技術分野】
【０００１】
本発明は、住宅展示場等において設置され、住宅の発注者に対して住宅の外観、内装、構造等を展示し、説明するために用いられる展示用住宅建築物に関するものである。
【背景技術】
【０００２】
注文住宅の建築を請け負う者が住宅展示場において展示用住宅建築物を設置し、住宅を発注しようとする者つまり顧客に対して提供する住宅の外観、内装、構造等を展示することが広く行われている。このような展示用住宅建築物において、一般住宅と同様に外装及び内装を完成した状態で展示するものが広く採用されてきたが、耐震性、耐久性、断熱性能等についての関心が高まるのにともなって、構造に関する説明に資する展示が求められている。
【０００３】
このような状況において、壁や床の断面構成を観察することができるように展示する展示用住宅等が、例えば特許文献１、特許文献２又は特許文献３に記載されている。
特許文献１に記載の展示用住宅は、住宅の床、天井及び屋根にそれぞれ開口を形成し、断面を露出させて断面の構成を接近して体験できるものとしている。
また、特許文献２及び特許文献３に記載の装置又は展示用ハウスは、屋根、壁、床等を断面が露出した状態で形成し、この断面が露出した部分を覆うように壁を別途に設け、この上に屋根を支持するものとなっている。
【先行技術文献】
【特許文献】
【０００４】
【特許文献１】特開２００１−１８３９６５号公報
【特許文献２】特開平１０−３９７４４号公報
【特許文献３】特開平１０―１２３９２５号公報
【発明の概要】
【発明が解決しようとする課題】
【０００５】
しかしながら、上記特許文献に記載の技術には、次のような課題がある。
特許文献１に記載されているように、住宅の床、天井及び屋根にそれぞれ開口を形成し、断面を露出させるものでは、床、天井及び屋根の断面構成は観察することができるが、構造躯体を構成する柱や梁の接合部、特に基礎と梁との接合部を観察することができない。柱と梁の接合部、基礎と柱との接合部等に特色がある住宅建築物では、その特徴部分を監察可能に展示することが望まれる。
また、特許文献２又は特許文献３に記載されているように屋根、壁、床等の断面が露出した部分を覆うように別途の屋根を形成するものでは、展示施設全体の大きさが過大となり、大きな敷地が必要になったり、高さ制限等によって施設を設けることが難しくなったりする場合が生じる。また、外観が提供しようとする住宅建築物と著しく異なるものとなり、展示用住宅建築物を参考に住宅の建築を発注しようとする顧客に住宅建築物のイメージを正確に伝えることが難しくなる。
【０００６】
本発明は、上記のような事情に鑑みてなされたものであり、その目的は、一般の住宅建築物から外観を大きく変更することなく、構造躯体を構成する柱もしくは梁の接合部又は構造躯体と基礎との接合部を屋内側に露出して観察可能とした展示用住宅建築物を提供することである。
【課題を解決するための手段】
【０００７】
上記課題を解決するために、請求項１に係る発明は、  地盤上に形成された基礎と、  前記基礎上に支持された構造躯体と、を有する展示用住宅建築物であって、  該展示用住宅建築物の外周部の一部において、外壁が前記構造躯体を構成する柱と間隔を開けて屋外側に形成され、  該外壁は、前記柱又はこの柱に支持されている梁と連結することによって保持され、  該外壁部の上端は、前記柱によって支持される屋根の軒下に納まるように保持されており、  前記柱とコンクリートからなる基礎との接合部又は柱と梁との接合部が屋内側に露出している展示用住宅建築物を提供する。
【０００８】
一般に木材からなる柱を用いた住宅建築物では外壁は柱と柱との間の空間に形成され、柱の全部又は一部が外壁の中に隠れることになるが、この展示用住宅建築物では、外壁が柱の間隔を開けて外側に形成されているので、柱及びこれに支持される梁は屋内外に露出させることができる。したがって、柱と基礎との接合部又は柱と梁との接合部を屋内側に露出して見学者が観察可能とすることができる。
また、外壁は、該外壁に沿った位置に設けられた柱又は梁等によって支持される屋根の軒下に納まるように設けることによって、露出させた構造躯体を覆う大がかりな壁体、屋根等を別途に構築することはなく、該展示用住宅建築物の外観を一般の住宅建築物と大きく変わらないものとすることができる。
【０００９】
請求項２に係る発明は、請求項１に記載の展示用住宅建築物において、  該展示用住宅建築物の外周部における前記基礎の屋外側に、該基礎と隣接して又は断熱材を介して隣接するように外壁用基礎が形成され、  該外壁用基礎の上に前記外壁が立ち上げられているものとする。
【００１０】
この展示用住宅建築物では、構造躯体を支持する基礎の外側で外壁を支持し、基礎の上面を屋内側に露出させることが可能となる。
【００１１】
請求項３に係る発明は、請求項１に記載の展示用住宅建築物において、  該展示用住宅建築物の外周部における基礎から屋外側に張り出すように張り出し支持部が設けられ、  該張り出し支持部の上に前記外壁が立ち上げられているものとする。
【００１２】
この展示用住宅建築物では、簡単な構造で構造躯体を支持する基礎の外側に外壁を支持し、基礎の上面を屋内側に露出させることが可能となる。
【００１３】
請求項４に係る発明は、請求項１から請求項３までのいずれかに記載の展示用住宅建築物において、  前記外壁は、一階部分の柱の下端付近から二階部分の柱の上端付近まで連続するように形成され、  該外壁が形成された部分の屋内側の一階部分と二階部分とが吹き抜けになっているものとする。
【００１４】
この展示用住宅建築物では、一階部分の柱の下端付近から二階部分の柱の上端付近までの範囲で外壁に沿った位置の柱及び梁を屋内側に露出させることができる。そして、この外壁が設けられた部分の屋内側が吹き抜けとなっていることによって、２階の床を支持する高さにある梁と柱との接合部が屋内側に露出され、一階部分の柱から二階部分の柱に及び構造躯体を屋内側から観察することが可能となる。
【００１５】
請求項５に係る発明は、請求項４に記載の展示用住宅建築物において、  前記外壁は、透視状態と透過する光を拡散させる不透視状態とを切り換えることができる調光ガラスと、これを支持する枠体とを有し、一階部分の柱の下端付近から二階部分の柱の上端付近までの範囲で採光が可能となっているものとする。
【００１６】
この展示用住宅建築物では、外壁の屋内側にある構造躯体を一階部分から二階部分の広い範囲において、自然採光の明るい状態での観察が可能となる。また、一般に一階から二階に及ぶような広い範囲にはカーテンやブラインドの設置は適さないが、調光ガラスを用いることによって広い範囲で屋内側へ取り入れる光量の調整及び屋外側からの視線の遮断が可能となる。
【００１７】
請求項６に係る発明は、請求項１から請求項５までのいずれかに記載の展示用住宅建築物において、  前記外壁が前記柱と間隔を開けて屋外側に形成された部分の屋内側に、該展示用住宅建築物の外周部に沿って一階の床が形成されていない領域を有し、  前記外壁に沿った位置に形成された前記基礎と、該基礎と該基礎上に支持される構造躯体との接合部とが、前記一階の床が形成されていない領域で観察可能に露出されているものとする。
【００１８】
一般に一階部分の床が設けられていると、屋内で基礎を観察することができないが、この展示用住宅建築物では、一階部分の床が形成されていない領域から基礎を観察することができるとともに、この基礎の上に接合して支持される構造躯体を同時に観察して、基礎に支持される構造躯体の状態を認識することが容易となる。
【発明の効果】
【００１９】
以上説明したように、本発明の展示用住宅建築物では、一般の住宅建築物と外観が大きく異なるものとせずに、構造躯体及び構造躯体と基礎との接合部を屋内側から観察して、構造全体の理解が容易となる。
【図面の簡単な説明】
【００２０】
【図１】本発明の一実施形態である展示用住宅建築物の一階部分の概略平面図である。
【図２】図１に示す展示用住宅建築物の構造を展示する部分の概略斜視図である。
【図３】図１に示す展示用住宅建築物の構造を展示する部分の概略断面図である。
【図４】図１に示す展示用住宅建築物の構造を展示する部分における柱及び外壁を支持する構造を示す概略断面図である。
【図５】図１に示す展示用住宅建築物の構造を展示する部分における二階部分の柱と梁との接合構造及び屋根と外壁上端部の構造を示す概略断面図である。
【図６】図１に示す展示用住宅建築物における基礎と柱との接合構造を示す概略斜視図である。
【図７】図１に示す展示用住宅建築物における柱と梁との接合構造を示す概略斜視図である。
【図８】図７に示す２つの梁の接合構造を示す概略斜視図である。
【図９】本発明の他の実施形態である展示用住宅建築物における外壁を支持する構造示す概略断面図である。
【発明を実施するための形態】
【００２１】
以下、本発明に係る展示用住宅建築物の実施の形態を図に基づいて説明する。
図１は、本発明の一実施形態である展示用住宅建築物の一階部分の概略平面図である。
この展示用住宅建築物は、入り口１から入った部分が談話室２となっており、訪れた顧客を受け付けるテーブル３等が設けられている。談話室２の奥には映写室４が設けられており、住宅に関する映画の上映や静止画の映写を行うことができる部屋となっている。
談話室２に隣接した位置には住宅の基礎や構造躯体等を展示するための展示室５が設けられており、その奥には事務室６が設けられている。また、二階への階段７がこの展示室５に設けられている。
【００２２】
展示室２の外壁に沿った隅角部には、基礎及び構造躯体等を展示する構造展示部８が設けられている。この構造展示部８は、図２に概略斜視図で示すように床が形成されておらず、地盤上に設置して構造躯体を支持する基礎の模型つまり基礎模型２０及び実際にこの展示用住宅建築物を支持する基礎１１の一部が露出して、展示室５内から観察できるように展示されている。また、この部分の外壁８１は、上記基礎１１の上に立設された柱５１の外側に離隔するように設けられており、この構造展示部８における柱５１及び梁５８，５９は屋内外に露出している。そして、この構造展示部８の上部は、図１中に一点鎖線で示す範囲が、一階から二階まで吹き抜けとなっており、一階部分の柱５１とこの柱５１の上に支持される梁５８，５９との接合部及び梁５８，５９と二階部分の柱６０との接合部が展示室５内から観察することできるものとなっている。
【００２３】
図３は、上記構造展示部８の基礎及び柱５１の下端部の概略断面図である。
この展示用住宅建築物の基礎１１は、地盤上に該建築物が占める平面領域のほぼ全域に鉄筋コンクリートの版状部１２を有し、この上に壁状部１３を立ち上げて、その上に構造躯体を支持する、いわゆるベタ基礎が採用されている。このような基礎１１は、一般の住宅建築物で広く用いられるものであり、締め固めた地盤上に割栗石層又は砕石層１４を形成し、その上に防水シート１５を敷設する。そして、この上に鉄筋１６を配置してコンクリートを打設することによって形成されたものである。
【００２４】
この展示用住宅建築物の基礎１１は、版状部１２の一部が標準部分Ａより低い位置に形成された深基礎部分Ｂを有するものとなっており、この深基礎部分Ｂの版状部１２ｂの上に基礎模型２０が形成されている。つまり、版状部１２は標準部分Ａと深基礎部分Ｂとの境界で上面に段差が設けられている。展示室５の床３１は標準部分Ａの全域と深基礎部分Ｂの一部に設けられており、この床３１は版状部１２ａの上に断熱材層３２ａを形成し、その上に床板３３が敷設したものである。一方、深基礎部分Ｂは、版状部１２ｂの上に断熱材層３２ｂを形成し、その上に基礎模型２０が設けられている。
【００２５】
上記基礎模型２０は、地盤を模した層２１と、基礎の下側に敷設される割栗石層又は砕石層を模した層２２と、防水シート２３と、基礎の版状部を模した版状部模型２４と、版状部に埋め込まれる鉄筋を模した鉄筋模型２５とを有するものである。そして、これらの断面が露出しているように、配置されている。
上記版状部模型２４の上面は、実際の基礎１１の標準部分Ａにおける版状部１２ａの上面とほぼ同じ高さに設定され、鉄筋模型２５も標準部分Ａの版状部１２ａに配置される鉄筋１６ａとほぼ同じ高さの位置に設置される。また、砕石層を模した層２２も同じ高さで同じ層厚に形成される。したがって、上記基礎模型２０は、実際に住宅建築物を構築するときに形成される基礎とほぼ同じ大きさで地盤に対してほぼ同じ高さの位置に設置されるものである。
【００２６】
上記構造展示部８における隅角部には、図２及び図３に示すように、上記基礎模型２０の上に床構造模型４０が設けられている。この床構造模型４０は、版状部模型２４の上に立設された束模型４１と、この束模型４１の上に支持された大引き模型４２と、この大引き模型４２の上に設けられた床板模型４３とを有するものである。
束模型４１は、金属で形成されたものであり、実際の一般住宅において束として用いられるものと同じものが使用されている。大引き模型４２は、実際の一般住宅で大引きとして用いられる木材と同じ断面寸法の木材が用いられ、上記束模型４１に支持されるとともに、一端が壁状部１３の上に支持された木材からなる土台４４と接合されている。床板模型４３も実際の一般住宅で床板として用いられるものと同じものを使用しており、上記大引き模型４２と上記土台４４との上にわたって固定されている。
上記大引き模型４２と床板模型４３との端面は、展示室５の内側に向かって露出されており、床の断面構造が展示室５内から観察することができるものとなっている。
【００２７】
なお、図２には示されていないが、床３１が形成された領域と構造展示部８との境界付近における床面上には手すりを設けるのが望ましい。また、手すりには透明板等を用いて床３１の上から基礎模型２０を観察するのを阻害しない構造とするのがよい。
【００２８】
図４は、上記構造展示部８が設けられた位置の外壁８１に沿った部分で構造躯体である柱５１を支持する構造及び外壁８１を支持する構造の概略断面図である。また、図５は一階部分の柱５１の上部から屋根６２までの構造躯体及び外壁８１を示す概略断面図である。
上記一階部分の柱５１は、断面形状が扁平な長方形となっており、長辺を外壁８１に沿った方向と直角となる方向に向けて立設されている。このため、この柱５１を支持する部分では外壁に沿った方向に立ち上げられた壁状部１３から直角方向に分岐するように突き出した壁状部１３ａを形成して、この上に一階部分の柱５１を立設している。
【００２９】
一階部分の柱５１の上には、外壁に沿った方向に架け渡される第１の梁５８及び外壁と直角方向に架け渡される第２の梁５９とが互いに接合された状態で支持される。上記第２の梁５９は、一階部分の柱５１と曲げモーメントの伝達が可能に接合されており、ラーメン構造となるものである。上記第１の梁５８及び第２の梁５９の上には二階部分の柱６０が立設され、さらに二階の天井部分の梁６１を介して屋根６２を支持するものとなっている。
【００３０】
一方、外壁８１は、ガラス８２をはめ込んだ金属の枠体８３を組み立てることによって形成されており、基礎の壁状部１３の外側に断熱材８４を介して隣接するように設けられた外壁用基礎８５の上に支持されている。そして、この外壁８１は基礎１１の壁状部１３の上に立設された柱５１又はこれらの柱上に支持される梁５８と間隔を開けて設けられている。この外壁８１は、上記外壁用基礎８５の上から二階の屋根６２の軒下までに及ぶものとなっており、上端部が屋根６２の軒下で二階の天井部分の梁６１に連結部材８６を介して連結されている。また、下端部から上端部までの中間で第１の梁５８にも連結部材８７を介して連結され、上記外壁用基礎８５と複数の連結部材８６，８７によって保持されている。
【００３１】
上記枠体８３は、アルミニウム、ステンレススチール等の金属からなるものを用いることができ、予め定められた寸法に形成されて枠内にガラスが嵌め込まれたものを複数組み合わせて、構造展示部８の一階部分から二階部分に及ぶ連続した壁体とすることができる。
上記ガラス８２は、２枚のガラスが嵌め入れられた２重構造となっており、例えば、一枚は強化ガラス、他の一枚は、透過する光を拡散させる不透視状態と透視状態とに切り換えることができる調光ガラスとすることができる。この調光ガラスは、通常時は不等視状態であり、電圧を印加することによって透視状態とすることができるものである。このように調光ガラスを用いることによってカーテンやブラインドを用いることなく、屋外側から内部の様子が容易に見えないようにすることができる。
【００３２】
上記一階部分の柱５１は、図６に示すように、外壁に沿った位置から突き出すように設けられた壁状部１３ａの上に接合して支持される。
基礎の壁状部１３ａには、２本のアンカーボルト５２が埋め込まれ、壁状部１３ａの上面から先端部が突き出している。このアンカーボルト５２に螺合されたナット５３によって箱形の接合金具５４が基礎に固定される。一方、木材からなる柱５１の下端部は長辺方向の両端部に上記接合金具が納まる切り欠き５１ａが設けられており、この切り欠き５１ａ内から柱５１の軸線方向にスクリューボルト５５がねじ込まれている。このスクリューボルト５５の端面には軸線方向にボルト穴が穿設されており、このボルト穴にねじ込まれた頭なしボルト５６と、この頭なしボルト５６に螺合されたナット５７とによって柱５１の下端が接合金具５４に固着される。したがって、柱５１の断面の長辺方向における両端部で柱５１の下端と基礎１１の壁状部１３ａとが接合され、柱５１の下端で断面の長辺に沿った方向の曲げモーメントに対して抵抗できる構造となる。
【００３３】
また、一階部分の柱５１に支持される二つの梁５８，５９は、互いに接合された位置で支持されており、二つの梁５８，５９と一階部分の柱５１とは、図７に示すように接合されている。また、二つの梁は図８に示すように接合されている。
一階部分の柱５１の上端部には、下端部と同様に断面の長辺方向における両端部に切り欠き５１ａが設けられ、この切り欠き５１ａ内から柱５１の軸線方向にスクリューボルト６３がねじ込まれている。このスクリューボルト６３の端面から軸線方向に穿設されたネジ穴６３ａにはボルト６４が螺合され、このボルト６４によって接合金具６５が柱５１に固定されている。一方、接合される二つの梁５８，５９にも、上記接合金具６５が固定された位置と対応する位置にそれぞれスクリューボルト６６，６７が鉛直方向にねじ込まれており、このスクリューボルト６６，６７の端面に設けられたなネジ穴に頭なしボルト６８がねじ込まれ、この頭なしボルト６８とこの頭なしボルトに螺合されたナット６９とによって接合金具６５が二つの梁５８，５９に接合されている。したがって、接合金具６５を介して一階部分の柱５１と二つの梁５８，５９とが接合される。
【００３４】
二つの梁５８，５９は、図８に示すように外壁に沿った方向に配置された第１の梁５８にねじ込まれたスクリューボルト６６と、外壁に直角方向に架け渡された第２の梁５９の端部において鉛直方向にねじ込まれたスクリューボルト７０と、梁接合金具７１と、を用いて接合されている。第１の梁５８にねじ込まれたスクリューボルト６６には、外周面から軸線と直角方向にボルト孔が設けられ、外壁と直角方向に架け渡された第２の梁５９にねじ込まれたスクリューボルト７０には、外周面から軸線と直角方向に横孔が設けられている。上記ボルト孔に螺合されるボルト７２によって梁接合金具７１が第１の梁５８の側面に固定され、この梁接合金具７１の張り出し板７１ａが第２の梁５９に設けられたスリット５９ａに挿入されるとともに、第２の梁５９の側面から挿入されたドリフトピン７３が、梁接合金具７１の張り出し板７１ａに設けられた孔７１ｂ及びスクリューボルト７０の設けられた横穴に挿通されている。これによって梁接合金具７１と第２の梁５９とが、鉛直方向の力の伝達が可能に接合されている。
【００３５】
このように接合された柱５１及び梁５８，５９は、外壁８１が構造躯体を構成する柱５１又は梁５８と間隔を開けて外側に設けられることにより、外壁８１より屋内側にあって屋内から容易に観察することが可能となる。つまり、柱５１，６０は四つの周面のいずれもが外壁８１とは離れた位置で露出されており、基礎１１と柱５１との接合部及び柱５１と梁５８、５９との接合部も周囲のいずれの方向からも外壁８１に遮られることなく観察が可能となる。
また、外壁８１が、基礎１１と柱５１との接合部から屋根６２付近まで柱５１，６０及び梁５８と離隔して設けられ、屋内側は一階部分と二階部分とが吹き抜けとなっていることにより、一階部分の柱５１と梁５８，５９との接合部、梁５８，５９と二階部分の柱６０との接合部も、連続した状態で観察することができ、展示室５から基礎１１とその上に支持される構造躯体の広い範囲を観察して構造を理解することが容易となる。つまり、一般の住宅建築物では、外壁は柱と柱との間の空間に設けられて柱の全部又は柱の一部が外壁内に隠れることになるが、上記のように外壁８１が構造躯体を構成する柱５１，６０又は梁５８の外側に設けられることによって基礎と構造躯体の観察が容易となるものである。
さらに、基礎１１と柱５１との接合構造については、構造展示部８において展示室５の内側に基礎１１の一部が露出されていることによって、露出される基礎１１の一部と基礎模型２０とともに観察することができる。
【００３６】
一方、外壁８１は柱５１又は梁５８と間隔を開けて立設されるが、連結部材８６，８７を用いて５１柱又は梁５８によって保持することにより、外壁部分を二重に構築することなく、外壁部分の構造躯体を屋内側に露出して展示することが可能となるものである。
【００３７】
また、外壁８１は、調光ガラス８２が嵌め入れられたものとすることによって瞬時に透視状態と不透視状態とを切り換えることができ、カーテン又はブラインドに代えて採光を調整するのみでなく、特に複数枚に区分した調光ガラスを用い、各々について透視状態と不透視状態とに切り換えることにより、様々な調光形態とすることができ、展示室５における多様な演出が可能となる。また、このような調光ガラスによる採光の調整は実際の一般住宅においても採用できる可能性があり、顧客が採用し得る選択枝の一つとして紹介することができる。
【００３８】
上記基礎１１と柱５１との接合構造及び柱５１と梁５８，５９との接合構造は、スクリューボルト等が基礎や柱の内部に埋め込まれるものであり、これらの接合構造の特徴をより理解しやすく見せる手段として、透明な材料で形成された透明基礎模型９１、透明柱模型９２及び透明梁模型９３とによって接合部分の内部構造も展示することができる。
上記透明基礎模型９１は、図２に示すように、基礎模型２０の版状部模型２４の上又は隣接する位置に、基礎の壁状部１３の形状に模して形成されたものである。また、透明柱模型９２は、基礎の壁状部１３の上に支持される柱５１に模して透明基礎模型９１の上に支持される。これらの透明基礎模型９１及び透明柱模型９２は、例えばアクリル板を用いて組み立てられたものとすることができ、一般の住宅建築物で使用される基礎の壁状部及び柱とほぼ同じ寸法とされている。そして、透明基礎模型９１内には鉄筋及び図６に示す基礎１１と柱５１との接合構造で用いられるアンカーボルト５２と同じものが配置され、透明柱模型９２内には図６に示す基礎１１と柱５１との接合構造で用いられるスクリューボルト５５と同じものが配置されて、頭なしボルト５６、ナット５３，５７、接合金具５４によって接合される。これらの接合のための金物は、基礎１１又は構造躯体を構成する柱５１の中に埋め込まれて該基礎１１及び該柱５１を接合する状態を模して配置されており、上記壁状部を模した透明基礎模型９１及び透明柱模型９２の外側から金物を使用した接合構造の内部まで観察が可能となっている。
また、透明柱模型９２の上には、透明な材料で形成された透明梁模型９３を接合するものとし、柱と梁との接合部に用いられる金物を、透明柱模型９２と透明基礎模型９１との接合部と同様に、透明柱模型９２及び透明梁模型９３内に配置して展示室内から観察できるものとすることができる。
【００３９】
以上、図を用いて説明した展示用住宅建築物は、本発明の一実施形態であって、本発明はこれに限定されるものではない。したがって、本発明の範囲内において様々の形態で実施することができるものである。
例えば、外壁を支持する基礎は、図３に示すように構造躯体を支持する基礎に隣接して別途に形成するのではなく、図９に示すように、構造躯体を支持する基礎の壁状部１０１から屋外側に張り出した張り出し支持部１０２を設け、この上に外壁８１を支持するものであってもよい。また、壁状部の全体の厚さを増厚し、その上部に構造躯体と外壁とを並列して支持するものであっても良い。一方、構造展示部の外壁の構造は、金属の枠体とガラスを用いるものに限定されるものではなく、他の材料を用いたもの等を採用することができる。
【００４０】
構造躯体については、上記の実施形態で、柱５１を断面の長辺の方向が外壁に沿った方向と直角となるように立設しているが、扁平な長方形断面を有する柱の長辺を外壁に沿った方向と平行にして立設するものであってもよい。また、柱として扁平な長方形断面を有するもの以外のものを用いてもよく、木材以外の部材例えば鉄骨等を用いるものであっても良い。そして、柱と基礎との接合構造、柱と梁との接合構造についても他の構造を採用することができる。
【符号の説明】
【００４１】
１：入り口，    ２：談話室，    ３：テーブル，    ４：映写室，    ５：展示室，    ６：事務室，    ７：階段，    ８：構造展示部，    
１１：基礎，    １２：版状部，    １２ａ：標準部分の版状部，    １２ｂ：深基礎部分の版状部，    １３：壁状部，    １４：砕石層，    １５：防水シート，    １６：鉄筋，    
２０：基礎模型，    ２１：地盤を模した層，    ２２：砕石層を模した層，    ２３：基礎模型に用いられた防水シート，    ２４：版状部模型，    ２５：鉄筋模型，    
３１：展示室の床，    ３２：断熱材層，    ３２ａ：標準部分の断熱材層，    ３２ｂ：深基礎部分の断熱材層，    ３３：床板，    
４０：床構造模型，    ４１：束模型，    ４２：大引き模型，    ４３：床板模型，    ４４：土台，    ４５：鉛直板，    ４６：照明装置，    
５１：柱，    ５２：アンカーボルト，    ５３：ナット，    ５４：接合金具，    ５５：スクリューボルト，    ５６：頭なしボルト，    ５７：ナット，    ５８，５９：梁，    ６０：二階部分の柱，    ６１：屋根を支持する梁，    ６２：屋根，    ６３：スクリューボルト，    ６４：ボルト，    ６５：接合金具，    ６６，６７：スクリューボルト，    ６８：頭なしボルト，    ６９：ナット，    ７０：スクリューボルト，    ７１：梁接合金具，    ７２：ボルト，    ７３：ドリフトピン，    
８１：外壁，    ８２：ガラス，    ８３：枠体，    ８４：断熱材，    ８５：外壁用基礎，    ８６，８７：連結部材，    
９１：透明基礎模型，    ９２：透明柱模型，    ９３：透明梁模型、    
１０１：基礎の壁状部，    １０２：張り出し支持部
Ａ：基礎の標準部分，    Ｂ：基礎の深基礎部分
【図１】
2014149467.tif 000003
【図２】
2014149467.tif 000004
【図３】
2014149467.tif 000005
【図４】
2014149467.tif 000006
【図５】
2014149467.tif 000007
【図６】
2014149467.tif 000008
【図７】
2014149467.tif 000009
【図８】
2014149467.tif 000010
【図９】
2014149467.tif 000011